(57)【要約】  【課題】  ホームページに関し、検索エンジンにおいてヒット率の高くなる可能性の高いキーワードを収集することを課題とする。  【解決手段】  インターネット上に存在する多数のホームページデータを記憶している一以上の検索サーバーに接続されるホームページ用キーワード取得装置であり、基準となるキーワードのテキストデータを基準キーワードとして、この基準キーワードの指定を受け付けるキーワード指定受付手段と、一以上の前記検索サーバーにアクセスして、前記基準キーワードに基づいて所定順位以内に抽出されるホームページデータから、メタタグ間のエリアにキーワードとして記録されているテキストデータを関連キーワードとして取得する関連キーワード取得手段と、取得された関連キーワードを記憶する関連キーワード記憶手段とを有する。【選択図】  図３
2005071319.tif 000002
【特許請求の範囲】
【請求項１】
インターネット上に存在する多数のホームページデータを記憶している一以上の検索サーバーに接続されるホームページ用キーワード取得装置であって、
基準となるキーワードのテキストデータを基準キーワードとして、この基準キーワードの指定を受け付けるキーワード指定受付手段と、
一以上の前記検索サーバーにアクセスして、前記基準キーワードに基づいて所定順位以内に抽出されるホームページデータから、メタタグ間のエリアにキーワードとして記録されているテキストデータを関連キーワードとして取得する関連キーワード取得手段と、
取得された関連キーワードを記憶する関連キーワード記憶手段と
を有するホームページ用キーワード取得装置
【請求項２】
前記キーワード取得装置において、さらに、
関連キーワード取得手段が取得した関連キーワードから記録されていた数の多いものを順に抽出する関連キーワード出現頻度算出手段を有し、
前記関連キーワード記憶手段は、前記関連キーワード出願頻度算出手段が抽出した所定順位内の関連キーワードを記憶する
請求項１に記載のホームページ用キーワード取得装置。
【請求項３】
前記キーワード取得装置において、さらに、
関連キーワード取得手段が取得した関連キーワードから記録されていた数の多いものを順に抽出する関連キーワード出現頻度算出手段を有し、
前記関連キーワード記憶手段は、前記関連キーワード算出手段により抽出された順が識別できるように前記関連キーワードを記憶する請求項１に記載のホームページ用キーワード取得装置。
【請求項４】
コンピューターに請求項１から３のいずれか１項に記載のキーワード取得装置としての機能を実現させるプログラム。
【発明の詳細な説明】
【技術分野】
【０００１】
本発明はホームページのメタタグに設定するキーワードを取得する装置に関する。
【背景技術】
【０００２】
インターネットの発展により、世界中の事業者や個人がホームページを公開するようになり、無数のホームページがインターネット上に存在する。このために、ホームページをキーワードによって検索する検索エンジンといわれるウエブサイトが多くの事業者により運営されている。検索エンジンにはインターネット上のホームページ情報を自動的に収集するロボット型の検索エンジンと、人間の検閲者が収集したホームページをカテゴリに分けて登録するディレクトリ型の検索エンジンがある。いずれの検索エンジンもホームページの全体に示される文字列およびメタタグといわれるホームページを作成する言語であるＨＴＭＬで定められたタグに挟まれたエリアに記憶した文字列を基準にホームページを検索している。ホームページの開設者は特にキーワードとして設定したい文字列はメタタグ間に記載することが一般的であり、検索エンジン側においてもキーワードとしてメタタグ間の文字列を重視することが多い。
【発明の開示】
【発明が解決しようとする課題】
【０００３】
ホームページのアクセスを向上させるためには検索エンジンでのヒット率を向上させることが重要であるが、閲覧者が検索エンジンに入力するキーワードとホームページ開設者が設定するキーワードは必ずしも一致するとは限らない。また、ホームページの開設者側からどのようなキーワードが実際には閲覧者に用いられているのかを知ることは容易ではない。このために、不適切な文字列をキーワードとしてメタタグ間に記載することが多く生じ、検索エンジンにおけるヒット率の低下を招いていた。
そこで本発明は、ホームページに関し、検索エンジンにおいてヒット率の高くなる可能性の高いキーワードを収集することを目的とする。
【課題を解決するための手段】
【０００４】
上記課題を解決するために本発明は次のような構成を有する。
請求項１に記載の発明は、インターネット上に存在する多数のホームページデータを記憶している一以上の検索サーバーに接続されるホームページ用キーワード取得装置であり、基準となるキーワードのテキストデータを基準キーワードとして、この基準キーワードの指定を受け付けるキーワード指定受付手段と、一以上の前記検索サーバーにアクセスして、前記基準キーワードに基づいて所定順位以内に抽出されるホームページデータから、メタタグ間のエリアにキーワードとして記録されているテキストデータを関連キーワードとして取得する関連キーワード取得手段と、取得された関連キーワードを記憶する関連キーワード記憶手段とを有する
【０００５】
請求項２に記載の発明は、前記キーワード取得装置において、さらに、関連キーワード取得手段が取得した関連キーワードから記録されていた数の多いものを順に抽出する関連キーワード出現頻度算出手段を有し、前記関連キーワード記憶手段は、前記関連キーワード出願頻度算出手段が抽出した所定順位内の関連キーワードを記憶する。
請求項３に記載の発明は、前記キーワード取得装置において、さらに、関連キーワード取得手段が取得した関連キーワードから記録されていた数の多いものを順に抽出する関連キーワード出現頻度算出手段を有し、前記関連キーワード記憶手段は、前記関連キーワード算出手段により抽出された順が識別できるように前記関連キーワードを記憶する。なお、順が識別できるように記憶するとは、この順に従って記憶したり順番を示すインデックスと関連付ける等により記憶することが例示される。
請求項４に記載の発明はコンピューターに前記キーワード取得装置としての機能を実現させるプログラムである。
【発明の効果】
【０００６】
本発明は次のような効果を奏する。
請求項１に記載の発明は、基準キーワードに基づいて検索サーバーにより所定順位以内に抽出されるホームページデータのメタタグ間にキーワードとして記録されているテキストデータが取得されることになる。所定順位以内に抽出されるホームページはキーワードの設定が優秀であると推測されることから、これらのキーワードは検索サーバーにおいてヒット率の高いキーワードであると考えられる。すなわち、検索サーバーにおいてヒット率の高いキーワードを収集することができることになる。
請求項２に記載の発明は、関連キーワードから記録されていた数の多いものを順に並べたときの所定順位内の関連キーワードが得られることになる。従って、関連キーワードの中でも特に重要度が高いと推測されるものを得ることができる。
請求項３に記載の発明は、関連キーワードから記録されたいた数の多いものの順番が識別できるので、キーワードを設定する際にこの順番を参考にすることができる。
請求項４に記載の発明は、一般的なコンピューターにより上記のキーワード取得装置を実現することができる。
【発明を実施するための最良の形態】
【０００７】
以下、本発明の実施の形態について、図面を参照しながら説明する。
図１に本実施の形態に係るキーワード取得装置Ａが属するネットワークを模式的に示す。図１においてキーワード取得装置Ａはインターネットを経由して、複数の検索エンジンサイトを運営する検索サーバーＸと、複数のホームページの管理者の端末コンピューターＵとに接続されている。キーワード取得装置Ａはサーバーであり、ホームページ管理者の端末コンピューターＵからの指示を受け付ける。検索サーバーが運営するのはロボット型の検索エンジンであり、検索対象となるホームページデータを記憶している。
【０００８】
図２にキーワード取得装置Ａのハードウエア構成を模式的に表すブロック図を示す。キーワード取得装置Ａは一般的なコンピューターにより構成され、具体的には演算処理を行うCPU１１、CPUの作業領域となるRAM１２、基本的なプログラムやデータを記録するROM１３、CPUの動作タイミングを取るためのクロック１４、データやプログラムを記憶するためのハードディスク１５、インターネットに接続するためのルーター等のネットワークインターフェース１６などにより構成される。キーワード取得装置Ａはこのような一般的なコンピューターに下記に示すような動作を行わせるプログラムを組み込むことにより実現される。
【０００９】
図３に本実施の形態に係るキーワード取得装置Ａの機能を模式的に表す機能ブロック図を示す。本キーワード装置Ａは機能的にＨＰ記憶部１０１、ＨＰ送信部１０２、キーワード指定受付部１０３、関連キーワード取得部１０４、関連キーワード出現頻度算出部１０５、関連キーワード記憶部１０６、ＨＰ生成部１０７とを含む。
ＨＰ記憶部１０１は、ホームページ管理者の端末コンピューターＵからの要求に応じて送信するホームページデータを記憶する。
ＨＰ送信部１０２は、端末コンピューターＵからの要求に応じてＨＰ記憶部１０１に記憶されたホームページデータを端末コンピューターＵへ送信する。
キーワード指定受付部１０３は、端末コンピューターＵへ送信されるホームページを経由して送信される基準となるキーワードのテキストデータを基準キーワードとして、この基準キーワードの指定を受け付ける。
【００１０】
関連キーワード取得部１０４は、一以上の前記検索サーバーＸにアクセスして、前記基準キーワードに基づいて所定順位以内に抽出されるホームページデータから、メタタグ間のエリアにキーワードとして記録されているテキストデータを関連キーワードとして取得する。具体的にここでは基準キーワードから検索エンジンによって１０位以内に抽出されるホームページデータから関連キーワードを取得する。
関連キーワード出現頻度算出部１０５は、関連キーワード取得手段が取得した関連キーワードから記録されていた数の多いものを順に抽出する。
関連キーワード記憶部１０６は、取得された関連キーワードのうち、前記関連キーワード出願頻度算出部１０５が抽出した所定順位内の関連キーワードを順位が上位のものから順に記憶する。具体的にここでは上位１０位以内の関連キーワードを抽出する。なお、ここでは後述するＨＰ生成部１０７により関連キーワードを表示するホームページデータが生成され、HP記憶部１０１も関連キーワードを所定順位内に入るものだけを順位に従って記憶することになるので、HP記憶部１０１を関連キーワード記憶部１０６として用いることも可能である。
ＨＰ生成部１０７は、キーワード取得装置Ａの動作により更新されるＨＰを所定のプログラムに従って生成する。
【００１１】
次に、以上のような構成を有するキーワード取得装置Ａの動作について説明する。図４にキーワード取得装置Ａの動作を表すフローチャートを示す。最初に、関連キーワードを取得しようとするホームページの管理者は端末コンピューターＵを通じて、基準キーワードの受付画面の送信を要求してくるのでＨＰ送信部１０２はこれを受け付けて端末コンピューターＵへ基準キーワード受付画面を送信する（ｓ１０１）。図５（ａ）に基準キーワード受付画面５００の例を示す。基準キーワード受付画面５００は基準となるキーワードを入力する入力ボックス５０１と入力を確定しホームページ管理装置Ａへ送信することを指示する実行ボタン５０２が含まれる。この基準キーワード受付画面５００から管理者は基準キーワードを送信してくるので、キーワード指定受付部１０３はこれを受け付け（ｓ１０２）、関連キーワード取得部１０４がそれぞれの検索サーバーＸにアクセスして、この受け付けられた基準キーワードに基づいて１０位以内に抽出されるホームページデータから、メタタグ間のエリアにキーワードとして記録されているテキストデータを関連キーワードとして取得する（ｓ１０３）。そして、関連キーワード出現頻度算出部１０５が、取得された関連キーワードから記録されていた数の多いものを順に抽出し（ｓ１０４）、関連キーワード記憶部１０６が出現頻度の上位１０位以内に入る関連キーワードを出現頻度順に記憶する（ｓ１０５）。それから、ＨＰ生成部１０７が関連キーワードを表示した関連キーワード表示画面を生成し、ＨＰ送信部１０２がこれを端末コンピューターＵへ送信する（ｓ１０６）。図５（ｂ）に関連キーワード表示画面６００の例を示す。関連キーワード表示画面は関連キーワード記憶部１０６に記憶された関連キーワードを出現頻度の順に上から表示するキーワード表示６０１を含む。以上で、キーワード取得装置Ａの動作が完了する。
【図面の簡単な説明】
【００１２】
【図１】実施の形態に係るキーワード取得装置の属するネットワークを模式的に示す図である。
【図２】実施の形態に係るキーワード取得装置のハードウエア構成を模式的に示すブロック図である。
【図３】実施の形態に係るキーワード取得装置の機能を模式的に示す機能ブロック図である。
【図４】実施の形態に係るキーワード取得装置の動作を示すフローチャートである。
【図５】（ａ）は基準キーワード受付画面の例を示す図であり、（ｂ）は関連キーワード表示画面の例を示す図である。
【符号の説明】
【００１３】
１０３  キーワード指定受付部
１０４  関連キーワード取得部
１０５  関連キーワード出現頻度算出部
１０６  関連キーワード記憶部
【図１】
2005071319.tif 000003
【図２】
2005071319.tif 000004
【図３】
2005071319.tif 000005
【図４】
2005071319.tif 000006
【図５】
2005071319.tif 000007